(57)【要約】【課題】除湿剤の量の管理を容易とすることができる除湿装置を提供する。【解決手段】ファン８３を回転し導入部１３１より導入した外気を通流部１５１を介して排出部から排出３２する。収容部４２に、除湿剤１８２を収容した除湿パック４３を配置し、この除湿パック４３の袋体１８１の上面１９１は湿気を透過する。通流部１５１を介して収容部４２に流入した外気は、その湿気が除湿パック４３の除湿剤１８２で吸収され除湿される。除湿パック４３内が潮解液２０１で満杯となり除湿パック４３の袋体１８１が膨張すると、袋体１８１の上面１９１が蓋体１２の裏面１６１に接して通流部１５１を閉鎖する。これにより、通流部１５１を介した外気の通流を阻害し、除湿パック４３が収容された収容部４２への外気の導入を阻止する。【選択図】図５
2014104443.tif 000002
【特許請求の範囲】
【請求項１】
外気を導入して排出するファンを備えた除湿装置において、
湿気を透過する袋体に除湿剤が収容された除湿パックと、
該除湿パックを収容する収容部及び前記ファンを備えた装置本体と、
該装置本体を閉鎖する蓋体とを備え、
該蓋体又は前記装置本体の少なくともいずれか一方に、外気を前記収容部の下流側から導入する導入部を開設するとともに、前記蓋体で閉鎖された前記収容部内に前記導入部より導入された外気を前記ファン側へ通流する通流部を設け、前記導入部からの外気が前記収容部及び前記ファンを介して外部へ排出されるように構成する一方、
前記収容部内の前記除湿パックが潮解液で膨張した際に、該除湿パックが当該除湿パックの外周部に形成された前記通流部を閉鎖するように構成したことを特徴とする除湿装置。
【請求項２】
外気を導入して排出するファンを備えた除湿装置において、
湿気を透過する袋体に除湿剤が収容された除湿パックと、
該除湿パックを収容する収容部及び前記ファンを備えた装置本体と、
該装置本体を閉鎖する蓋体とを備え、
該蓋体又は前記装置本体の少なくともいずれか一方に、外気を前記収容部の下流側から導入する導入部を開設するとともに、前記収容部と前記蓋体との間に前記導入部より導入された外気を前記ファン側へ通流する通流部を設け、前記導入部からの外気が前記収容部及び前記ファンを介して外部へ排出されるように構成する一方、
前記収容部内の前記除湿パックが潮解液で膨張した際に、当該除湿パックの前記袋体が前記蓋体に接して前記通流部を閉鎖するように構成したことを特徴とする除湿装置。
【請求項３】
前記除湿パックの吸湿面を無孔性フィルムで構成したことを特徴とする請求項１又は２記載の除湿装置。
【請求項４】
前記蓋体の裏面に乱流板を設けたことを特徴とする請求項１、２又は３記載の除湿装置。
【請求項５】
前記除湿パック内の物質、前記収容部、又は前記蓋体の裏面の少なくともいずれかに香料を担持させたことを特徴とする請求項１から４にいずれか記載の除湿装置。
【請求項６】
前記蓋体に前記通流部を通流した外気を前記ファンに案内するガイドを設けたことを特徴とする請求項１から５にいずれか記載の除湿装置。
【発明の詳細な説明】
【技術分野】
【０００１】
本発明は、湿気を取り除く除湿装置に関する。
【背景技術】
【０００２】
従来、押し入れや下駄箱内の湿気を取り除く除湿装置としては、除湿器が知られている（例えば、特許文献１参照。）。
【０００３】
この除湿器は、モータで回転されるファンを備えており、外部の空気を容器本体内の除湿剤へ供給できるように構成されている。
【０００４】
これにより、前記除湿剤での除湿効果を高められるように構成されている。
【先行技術文献】
【特許文献】
【０００５】
【特許文献１】特願平１１−１９７４３８号公報
【発明の概要】
【発明が解決しようとする課題】
【０００６】
しかしながら、このような従来の除湿装置にあっては、外部の空気がファンで供給される間、除湿剤による除湿が続いてしまう。
【０００７】
このため、除湿剤で除湿された潮解液の量が容器本体の容積を超えてしまい、潮解液があふれてしまうといった問題点を有していた。したがって、投入する除湿剤の量を正確に管理する必要があった。
【０００８】
本発明は、このような従来の課題に鑑みてなされたものであり、除湿剤の量の管理を容易とすることができる除湿装置を提供することを目的とするものである。
【課題を解決するための手段】
【０００９】
前記課題を解決するために本発明の請求項１の除湿装置にあっては、外気を導入して排出するファンを備えた除湿装置において、湿気を透過する袋体に除湿剤が収容された除湿パックと、該除湿パックを収容する収容部及び前記ファンを備えた装置本体と、該装置本体を閉鎖する蓋体とを備え、該蓋体又は前記装置本体の少なくともいずれか一方に、外気を前記収容部の下流側から導入する導入部を開設するとともに、前記蓋体で閉鎖された前記収容部内に前記導入部より導入された外気を前記ファン側へ通流する通流部を設け、前記導入部からの外気が前記収容部及び前記ファンを介して外部へ排出されるように構成する一方、前記収容部内の前記除湿パックが潮解液で膨張した際に、該除湿パックが当該除湿パックの外周部に形成された前記通流部を閉鎖するように構成した。
【００１０】
すなわち、この除湿装置を使用する際には、装置本体に設けられた収容部に除湿パックを収容するとともに当該装置本体を蓋体で閉鎖して押し入れなどの所定箇所に配置する。
【００１１】
すると、ファンの回転によって導入部より導入された外気が、蓋体で閉鎖された収容部内の通流部を通過するとともに、前記収容部及び前記ファンを介して外部へ排出される。
【００１２】
このとき、前記収容部には、除湿パックが収容されており、この除湿パックは、湿気を透過する袋体に除湿剤が収容されて形成されている。このため、前記通流部を介して前記収容部に流入した外気は、含まれた湿気が前記除湿パックの除湿剤に吸収され除湿される。
【００１３】
この状態において長期に渡って放置すると、前記除湿パック内が潮解液で満杯となり、当該除湿パックが膨張する。すると、該除湿パックが当該除湿パックの外周部に形成された前記通流部を閉鎖する。
【００１４】
これにより、該通流部を介した外気の通流が阻害され、前記除湿パックが収容された前記収容部への外気の導入が阻止される。
【００１５】
また、請求項２の除湿装置にあっては、外気を導入して排出するファンを備えた除湿装置において、湿気を透過する袋体に除湿剤が収容された除湿パックと、該除湿パックを収容する収容部及び前記ファンを備えた装置本体と、該装置本体を閉鎖する蓋体とを備え、該蓋体又は前記装置本体の少なくともいずれか一方に、外気を前記収容部の下流側から導入する導入部を開設するとともに、前記収容部と前記蓋体との間に前記導入部より導入された外気を前記ファン側へ通流する通流部を設け、前記導入部からの外気が前記収容部及び前記ファンを介して外部へ排出されるように構成する一方、前記収容部内の前記除湿パックが潮解液で膨張した際に、当該除湿パックの前記袋体が前記蓋体に接して前記通流部を閉鎖するように構成した。
【００１６】
すなわち、この除湿装置を使用する際には、装置本体に設けられた収容部に除湿パックを収容するとともに当該装置本体を蓋体で閉鎖して押し入れなどの所定箇所に配置する。
【００１７】
すると、ファンの回転によって導入部より導入された外気が、前記収容部及び前記蓋体間に設けられた通流部を通過するとともに、前記収容部及び前記ファンを介して外部へ排出される。
【００１８】
このとき、前記収容部には、除湿パックが収容されており、この除湿パックは、湿気を透過する袋体に除湿剤が収容されて形成されている。このため、前記通流部を介して前記収容部に流入した外気は、含まれた湿気が前記除湿パックの除湿剤に吸収され除湿される。
【００１９】
この状態において長期に渡って放置すると、前記除湿パック内が潮解液で満杯となり、当該除湿パックが膨張する。すると、当該除湿パックの袋体が前記蓋体に接して前記通流部を閉鎖する。
【００２０】
これにより、該通流部を介した外気の通流が阻害され、前記除湿パックが収容された前記収容部への外気の導入が阻止される。
【００２１】
さらに、請求項３の除湿装置においては、前記除湿パックの吸湿面を無孔性フィルムで構成した。
【００２２】
これにより、空気に含まれた湿気は、無孔性フィルムを透過して除湿パック内の除湿剤で吸収される一方、内部に貯留した潮解液は、外部への流出が防止される。
【００２３】
加えて、請求項４の除湿装置では、前記蓋体の裏面に乱流板を設けた。
【００２４】
これにより、蓋体に沿って流れる空気は、乱流板により気流が乱され、除湿パックによる吸湿効率が高められる。また、吸湿終期には、膨張した吸湿パックの上面と前記乱流板とが接して通流部が閉鎖される。
【００２５】
また、請求項５の除湿装置にあっては、前記除湿パック内の物質、前記収容部、又は前記蓋体の裏面の少なくともいずれかに香料を担持させた。
【００２６】
これにより、吸湿中は、ファンによる空気の通流により、除湿装置を使用している空間に香りが拡散される。
【００２７】
吸湿終期には、空気の通流が止まるため、香りが拡散しなくなり、使用者に除湿効果が終了したことを知らせることができる。
【００２８】
ここで、除湿パック内に収容される物質としては、香料を担持させた樹脂や薬剤を封入する方法が挙げられる。
【００２９】
また、収容部又は蓋体裏面を利用する場合は、製造時に香料を担持させた樹脂で、これらを形成する。または、香料担体の入った袋を設置する方法が挙げられる。
【００３０】
さらに、請求項６の除湿装置においては、前記蓋体に前記通流部を通流した外気を前記ファンに案内するガイドを設けた。
【００３１】
すなわち、前記蓋体には、前記通流部を通流した外気を前記ファンに案内するガイドが設けられており、前記導入部より導入された外気は、前記ガイドに沿って前記ファンに案内される。
【発明の効果】
【００３２】
以上説明したように本発明の請求項１の除湿装置にあっては、所定量の潮解液で除湿パックが満たされた際に、該除湿パックが膨張し、この除湿パックが当該除湿パックの外周部に形成された通流部を閉鎖するので、これを利用して外気の通流経路を閉鎖することができる。
【００３３】
これにより、前記通流部を介した外気の通流を阻止することができ、前記収容部に収容された前記除湿パックでの除湿を抑制することができる。
【００３４】
このため、前記除湿パック内に潮解液が満たされた状態において、さらに除湿剤による潮解が促進されてしまう場合と比較して、当該除湿パックの袋体が破れる等の不具合を確実に防止することができる。
【００３５】
これにより、前記袋体が破れないように、前記除湿パック内に収容される除湿剤の量を正確に管理するといった手間が省け、除湿剤の投入量の管理が容易となるとともに、管理に要する費用を抑えることができる。
【００３６】
また、請求項２の除湿装置にあっては、所定量の潮解液で除湿パックが満たされた際には、該除湿パックが膨張し、その袋体が装置本体の蓋体に接するので、これを利用して外気の通流経路を構成する通流部を閉鎖することができる。
【００３７】
これにより、該通流部を介した収容部への外気の通流を阻止することができ、該収容部に収容された前記除湿パックでの除湿を抑制することができる。
【００３８】
このため、前記除湿パック内に潮解液が満たされた状態において、さらに除湿剤による潮解が促進されてしまう場合と比較して、当該除湿パックの袋体が破れる等の不具合を確実に防止することができる。これにより、前記袋体が破れないように、前記除湿パック内に収容される除湿剤の量を正確に管理するといった手間が省け、除湿剤の投入量の管理が容易となるとともに、管理に要する費用を抑えることができる。
【００３９】
さらに、請求項３の除湿装置においては、前記除湿パックの吸湿面を無孔性フィルムで構成したため、空気に含まれた湿気を、無孔性フィルムを透過して除湿パック内の除湿剤で吸収する一方、内部に貯留した潮解液の外部への流出を防止することができる。
【００４０】
加えて、請求項４の除湿装置では、蓋体の裏面に乱流板を設けたことにより、前記蓋体に沿って流れる空気の気流を前記乱流板により乱すことができる。これにより、除湿パックによる吸湿効率を高めることができる。
【００４１】
また、吸湿終期には、膨張した吸湿パックの上面と前記乱流板とが接することで、通流部を閉鎖することができる。
【００４２】
また、請求項５の除湿装置にあっては、前記除湿パック内の物質、前記収容部、又は前記蓋体の裏面の少なくともいずれかに香料を担持させたので、吸湿中は、ファンによる空気の通流により、除湿装置を使用している空間に香りを拡散することができる。
【００４３】
また、吸湿終期には、空気の通流が止まるため、香りが拡散しなくなり、使用者に除湿効果が終了したことを知らせることができる。
【００４４】
さらに、請求項６の除湿装置においては、外気をファンに案内するガイドを、蓋体に設けることによって、前記導入部より導入された外気を、前記ガイドに沿って前記ファンに案内することができる。
【００４５】
これにより、導入された外気を効率的にファンまで案内することができるため、ファンによる外気の導入効果を高めることができるとともに、除湿効果を高める事ができる。
【図面の簡単な説明】
【００４６】
【図１】本発明の一実施の形態を示す斜視図である。
【図２】同実施の形態の装置本体を示す斜視図である。
【図３】同実施の形態の蓋体を示す斜視図である。
【図４】同実施の形態の蓋体の裏面を示す斜視図である。
【図５】同実施の形態の使用前を示す断面図である。
【図６】同実施の形態の使用後を示す断面図である。
【発明を実施するための形態】
【００４７】
以下、本発明の一実施の形態を図に従って説明する。
【００４８】
図１は、本実施の形態にかかる除湿装置１を示す図であり、該除湿装置１は、押し入れや下駄箱等で使用され湿気をとるものである。
【００４９】
この除湿装置１は、横長形状に形成されており、下部を構成する装置本体１１と、該装置本体１１に設けられ当該装置本体１１を閉鎖する蓋体１２とを備えている。なお、使用時には、前記装置本体１１を下側に配置する使用形態に限定されるものではなく、当該装置本体１１の長辺側を底面として使用したり、短辺を底面として立て掛けて使用しても良い。
【００５０】
前記装置本体１１は、図２にも示すように、長方形容器状のケーシング２１を備えており、該ケーシング２１は、長方形状の底板２２を備えている。該底板２２は、図中左手前側に円弧状の円弧部２３が形成されており、この底板２２には、図中奥側の長辺に沿って起立した奥側板２４と、図中手前側の長辺に沿って起立した前側板２５と、図中左方の短辺に沿って起立した左側板２６と、図中右方の短辺に沿って起立した右側板２７とが一体形成されている。
【００５１】
前記前側板２５と前記左側板２６との角部は、前記底板２２の前記円弧部２３に沿って湾曲した湾曲面３１が形成されており、該湾曲面３１には、排出部３２が設けられている。該排出部３２は、前記湾曲面３１の図２中縦方向に延設された複数のスリット３３，・・・で構成されており、当該装置本体１１内に供給された外気を排出できるように構成されている。
【００５２】
このケーシング２１の図中左方の部位には、内部を区画する仕切板４１が設けられており、該仕切板４１は、前記奥側板２４と前記前側板２５とを連結するように一体形成されている。これにより、当該ケーシング２１内には、長方形容器状の収容部４２が図２中右方に形成されており、該収容部４２内に、後述する除湿パック４３を収容できるように構成されている（図５参照）。
【００５３】
この収容部４２を包囲する前記ケーシング２１壁面の一部は、製造時に香料を担持させた樹脂で形成されている。
【００５４】
なお、他の方法としては、香料担体の入った袋を前記収容部４２に設置する方法が挙げられる。担体としては、ケイ酸カルシウムやエチレン−酢酸共重合体樹脂などが挙げられる。
【００５５】
前記ケーシング２１には、前記奥側板２４と、前記前側板２５と、前記左側板２６との上縁に側方に延出したケースフランジ５１が一体形成されており、前記右側板２７には、前記ケースフランジ５１が未形成の切欠部５２が設けられ、空気の通流が確保されている。
【００５６】
前記仕切板４１の図中左方側には、ファンモータユニット６１が収容されている。該ファンモータユニット６１は、ファンモータ６２が設けられたユニット本体６３と、該ユニット本体６３より図中右方に延出した一対の延出部６４，６４とを備えており、各延出部６４，６４は、前記奥側板２４及び前記前側板２５に沿って延設されている。
【００５７】
これにより、前記仕切板４１の図中左方側には、前記ユニット本体６３と前記両延出部６４，６４と前記仕切板４１とで包囲された電池収容部７１が設けられており、当該電池収容部７１に単一の電池７２を横置きにして収容できるように構成されている。
【００５８】
前記ユニット本体６３には、円形穴８１が設けられており、該円形穴８１の底部には、前記電池収容部７１に収容された電池７２で駆動される前記ファンモータ６２が設けられている。該ファンモータ６２の回転軸８２には、ファン８３が固定されており、該ファン８３は、円形に形成された上部円形板８４と、該上部円形板８４の下側に離間して設けられ前記回転軸８２が固定された支持板８５と、該支持板８５の下側に離間して設けられた円形状の下部円形板８６と、前記両円形板８４，８６間に設けられた複数のフィン８７，・・・とによって構成されている。
【００５９】
これにより、当該ファン８３を前記ファンモータ６２で回動することで、前記円形穴８１から吸入した空気を前記フィン８７，・・・間を介して側方へ流出できるように構成されており、この流出した空気を前記排出部３２を介して外部へ排出できるように構成されている。
【００６０】
そして、前記ユニット本体６３には、前記円形穴８１の外周部の二つの凸条９１，９２が形成されており、前記円形穴８１の図中右方には、二つの突起９３，９３が形成されている。
【００６１】
前記蓋体１２は、図３にも示すように、前記装置本体１１に合わせた形状に形成されており、長方形状の天板１０１を備えている。該天板１０１は、図中左手前側に円弧状に形成された円弧部１０２が形成されており、当該天板１０１の周縁には、下方に延出するフランジが形成されている。
【００６２】
具体的に説明すると、この天板１０１には、図中奥側の長辺に沿って垂下した奥側フランジ１１１と、図中手前側の長辺に沿って垂下した前側フランジ１１２と、図中左方の短辺に沿って垂下した左側フランジ１１３と、図中右方の短辺に沿って垂下した右側フランジ１１４とが一体形成されている。前記前側フランジ１１２と前記左側フランジ１１３との角部は、前記天板の円弧部１０２に沿って湾曲した湾曲フランジ１１５が形成されており、前記右側フランジ１１４の長さ寸法は、他のフランジ１１１〜１１３より長く設定されている。
【００６３】
前記奥側フランジ１１１と前記前側フランジ１１２と前記左側フランジ部１１３との先端には、図４及び図５に示すように、突出部１２１，・・・が延設されており、図５に示したように、各フランジ１１１〜１１３を前記装置本体１１のケースフランジ５１に外嵌した状態で各突出部１２１，・・・が前記ケースフランジ５１の下側に配置され、当該蓋体１２の不用意な離脱を防止できるように構成されている。
【００６４】
この右側フランジ１１４と前記天板１０１との角部には、図３に示したように、導入部１３１が設けられており、該導入部１３１は、前記天板１０１に設けられた複数の天板スリット１３２，・・・と、前記右側フランジ１１４に設けられた複数のフランジスリット１１５ａ，・・・と、両スリット１１４，１１５ａ間を横断する横断部１１６とで構成されている。
【００６５】
これにより、前記天面側１０１の図中上方からは、当該天面１０１に設けられた前記天板スリット１３２，・・・を介して、前記ケーシング２１の前記収容部４２内に外気を導入できるように構成されており、前記右フランジ１１４が設けられた図中右方からは、当該右フランジ１１４に設けられた前記フランジスリット１１５ａ，・・・及び前記ケーシング２１に設けられた前記切欠部５２を介して、前記ケーシング内２１の前記収容部４２内に外気を導入できるように構成されている。これにより、前記蓋体１２又は前記装置本体１１の少なくともいずれか一方に外気を前記収容部４２の下流側から導入する導入部１３１が形成されている。
【００６６】
前記天板１０１には、図３及び図５に示したように、前記各フランジ１１１〜１１４が形成された外周部より内側に、上方へ向けて膨出する膨出部１４１が形成されており、当該天板１０１には、前記膨出部１４１と該膨出部１４１の外周部を構成する一般部１４２とが形成されている。該一般部１４２は、図５に示したように、当該蓋体１２を前記装置本体１１に装着した状態で、該装置本体１１の前記ケーシング２１に形成された前記ケースフランジ５１上に配置されるように構成されている。
【００６７】
これにより、前記ケーシング２１の上部、すなわち前記蓋体１２の前記膨出部１４１と前記ケーシング２１との間には通流部１５１が形成されており、前記ファン８３を回動することで、前記導入部１３１から当該装置本体１１内に導入された外気を、前記通流部１５１を構成する前記収容部４２の上部空間及び前記ファンモータユニット６１の上部空間を介して、当該ファンモータユニット６１の前記円形穴８１から前記ファン８３を通して前記排出部３２へ排出できるうように構成されている。
【００６８】
ここで、本実施の形態では、前記蓋体１２の前記膨出部１４１と前記ケーシング２１との間に通流部１５１が形成された場合に付いて説明するが、これに限定されるものではなく、前記蓋体１２と前記収容部４２を形成する壁面との内側空間であって、前記除湿パック４３の外周部に形成される空間を通流部１５１としても良い。
【００６９】
そして、前記蓋体１２の前記膨出部１４１の裏面１６１には、図４に示すように、前記通流部１５１を通流した外気を前記ファン８３に案内するガイド１６２が一体形成されている。
【００７０】
該ガイド１６２は、前記膨出部１４１の長辺から内側へ向けて直線状に延出した直線状延出部１７１，１７１と、両直線状延出部１７１，１７１の先端を結ぶ円弧状の円弧部１７２とで構成されており、該円弧部１７２は、当該蓋体１２を前記装置本体１１に装着した状態で、前記ユニット本体６３に形成された前記凸条９１，９２の外周部に配置されるように構成されている。
【００７１】
これにより、前記通流部１５１に沿って流入した外気を、前記ファンモータユニット６１に設けられた前記支持板８５の上部空間にガイドできるように構成されており、前記支持板８５の上部空間を介して前記ファン８３に送れるように構成されている。
【００７２】
また、前記ガイド１６２と前記導入部１３１との中間部には、乱流板１７５が設けられている。該乱流板１７５は、直線状の薄肉板状に形成されており、当該蓋体１２裏面１６１を横断するように延設されている。
【００７３】
この蓋体１２の裏面１６１の一部は、製造時に香料を担持させた樹脂で形成されている。
【００７４】
なお、他の方法としては、香料担体の入った袋を前記蓋体１２に設置する方法が挙げられる。担体としては、ケイ酸カルシウムやエチレン−酢酸共重合体樹脂などが挙げられる。
【００７５】
そして、前記装置本体１１の前記収容部４２には、図５に示したように、前記除湿パック４３が交換可能に収容されるように構成されており、該除湿パック４３は、袋体１８１
と該袋体１８１内に収容された粒状の除湿剤１８２，・・・と、香料担体１８３，・・・とで構成されている。
【００７６】
前記除湿剤１８２，・・・は、塩化カルシウム等の潮解性の吸湿薬剤によって構成されており、大気中の水蒸気を吸収して溶解することで、液状になるように構成されている。
【００７７】
また、前記香料担体１８３，・・・は、香料を担持させた樹脂または薬剤で構成されており、香り成分を揮散できるように構成されている。担体としては、ケイ酸カルシウムやエチレン−酢酸共重合体樹脂などが挙げられる。
【００７８】
前記袋体１８１は、上面１９１及び下面１９２の周縁が接合されてなり、その周縁部には、耳部１９３が形成されている。少なくとも前記上面１９１の一部は、湿気を透過するが液体は通さないウレタン等の無孔性透湿フィルムで形成されており、使用前は、防湿シートで覆われている。
【００７９】
この除湿パック４３は、図６に示すように、外気から前記除湿剤１８２，・・・が湿気を吸収して潮解した際に、前記袋体１８１が潮解液２０１で満たされるように構成されており、前記収容部４２内の前記除湿パック４３が前記潮解液２０１で膨張した際に、当該除湿パック４３の前記袋体１８１の前記上面１９１が前記蓋体１２の前記膨出部１４１の裏面１６１に接して前記通流部１５１を閉鎖するように構成されている。
【００８０】
ここで、前記蓋体１２と前記収容部４２を形成する壁面との内側空間であって、前記除湿パック４３の外周部に形成される空間を通流部１５１とした場合、前記収容部４２内の前記除湿パック４３が前記潮解液２０１で膨張した際に、当該除湿パック４３の前記袋体１８１が前記蓋体１２や前記収容部４２を形成する壁面に密着して、前記除湿パック４３の外周部に形成された前記通流部１５１を閉鎖するように構成するものとする。
【００８１】
以上の構成にかかる本実施において、この除湿装置１を使用する際には、装置本体１１に設けられた収容部４２に除湿パック４３を収容するとともに、電池収容部７１に単一の電池７２を収容し、ファンモータ６２でファン８３を回動する。そして、当該装置本体１１を蓋体１２で閉鎖して、例えば押し入れの隅に配置する。
【００８２】
すると、前記ファン８３の回転によって導入部１３１より導入された押し入れ内の空気が前記蓋体２１の膨出部１４１で形成された通流部１５１を通過するとともに、収容部４２及び前記ファン８３を介して装置本体１１外部へ排出される。
【００８３】
このとき、前記収容部４２には、除湿剤１８２，・・・を収容した除湿パック４３が設けられており、この除湿パック４３の袋体１８１の上面１９１は、湿気を透過するように構成されている。このため、前記通流部１５１を介して前記収容部４２に流入した外気は、含まれた湿気が前記除湿パック４３の前記除湿剤１８２，・・・で吸収され除湿される。
【００８４】
この状態で放置すると、前記除湿パック４３内が潮解液２０１と除湿剤１８２の充填時に混入した空気とで満杯となり、当該除湿パック４３の袋体１８１が膨張する。すると、該袋体１８１の上面１９１が前記蓋体１２の裏面１６１に接して前記通流部１５１を閉鎖する。
【００８５】
これと同時に、膨張した前記除湿パック４３の袋体１８１が、前記蓋体１２や前記収容部４２を形成する壁面に密着することで、前記除湿パック４３の外周部に形成された空間（通流部）を閉鎖する。
【００８６】
このため、これを利用して外気の通流経路を閉鎖することができる。これにより、該通流部１５１及び前記通流経路を介した外気の通流が阻害され、前記除湿パック４３が収容された前記収容部４２への外気の導入が阻止される。
【００８７】
このように、前記除湿パック４３内に貯留された潮解液２０１と除湿剤１８２の充填時に流入した空気とで当該除湿パック４３の袋体１８１が満たされた際には、該袋体１８１が膨張し、その上面１９１が前記蓋体１２の裏面１６１に接するとともに、当該袋体１８１の周面が前記収容部４２を包囲する壁面に接するので、これを利用して外気の通流経路を構成する前記通流部１５１を閉鎖することができる。
【００８８】
ここで、前記蓋体１２と前記収容部４２を形成する壁面との内側空間であって、前記除湿パック４３の外周部に形成される空間を通流部１５１とした場合、前記収容部４２内の前記除湿パック４３が前記潮解液２０１と除湿剤１８２の充填時に流入した空気とで膨張した際に、当該除湿パック４３の前記袋体１８１が前記蓋体１２や前記収容部４２を形成する壁面に密着して、前記除湿パック４３の外周部に形成された前記通流部１５１を閉鎖することができる。
【００８９】
これにより、該通流部１５１を介した前記収容部４２への外気の通流を阻止することができ、該収容部４２に収容された前記除湿パック４３での除湿を抑制することができる。このため、前記除湿パック４３内に潮解液２０１が満たされた状態において、さらに除湿剤１８２，・・・による潮解が促進されてしまう場合と比較して、当該除湿パック４３の袋体１８１が破れる等の不具合を確実に防止することができる。
【００９０】
したがって、前記袋体１８１が破れないように、前記除湿パック４３内に収容される除湿剤１８２，・・・の量を正確に管理するといった手間が省け、除湿剤１８２，・・・の投入量の管理が容易となるとともに、管理に要する費用を抑えることができる。
【００９１】
また、前記除湿パック４３の吸湿面を無孔性透湿フィルムで構成したため、空気に含まれた湿気を、無孔性透湿フィルムを透過して除湿パック内の除湿剤で吸収する一方、内部に貯留した潮解液の外部への流出を防止することができる。
【００９２】
加えて、前記蓋体１２の裏面１６１に乱流板１７５を設けたことにより、前記蓋体１２に沿って流れる空気の気流を前記乱流板１７５により乱し、前記除湿パック４３側へ流すことができる。これにより、該除湿パック４３による吸湿効率を高めることができる。
【００９３】
また、吸湿終期には、膨張した前記吸湿パック４３の上面１９１と前記乱流板１７５とが接することで、前記通流部１５１を閉鎖することができる。
【００９４】
また、前記除湿パック４３内の物質である香料担体１８３，・・・と、前記収容部４２と、前記蓋体１２の裏面１６１とに香料を担持させたので、吸湿中は、前記ファン８３による空気の通流により、除湿装置１を使用している空間に香りを拡散することができる。
【００９５】
また、吸湿終期には、空気の通流が止まるため、香りが拡散しなくなり、使用者に除湿効果が終了したことを知らせることができる。
【００９６】
さらに、前記蓋体１２の裏面１６１には、前記通流部１５１を通流した外気を前記ファン８３に案内するガイド１６２が設けられており、前記導入部１３１より導入された外気は、このガイド１６２に沿って前記ファン８３に案内される。
【００９７】
これにより、導入された外気を効率的に前記ファン８３まで案内することができるので、該ファン８３による外気の導入効果を高めることができるとともに、除湿効果を高める事ができる。
【００９８】
なお、本実施の形態では、前記蓋体１２の裏面１６１に乱流板１７５を設けた場合を例に挙げて説明したが、これに限定されるものではなく、前記乱流板１７５を備えない場合であっても、本発明の効果を得ることができる。
【００９９】
また、本実施の形態では、前記除湿パック４３内に香料担体１８３，・・・を設ける構成と、前記収容部４２及び蓋体１２の裏面１６１に香料を担持させた場合を例に挙げて説明したが、これに限定されるものではなく、これらの構成を備えない場合であっても、本発明の効果を得ることができる。
【符号の説明】
【０１００】
１    除湿装置
１１    装置本体
１２    蓋体
３２    排出部
４２    収容部
４３    除湿パック
８３    ファン
１３１    導入部
１５１    通流部
１６２    ガイド
１７５    乱流板
１８１    袋体
１８２    除湿剤
１８３    香料担体
２０１    潮解液
【図１】
2014104443.tif 000003
【図２】
2014104443.tif 000004
【図３】
2014104443.tif 000005
【図４】
2014104443.tif 000006
【図５】
2014104443.tif 000007
【図６】
2014104443.tif 000008